(57)【要約】【目的】  セラミック抵抗発熱体形成用の成形体であって、成形体自身が大径線部と小径線部とを備えかつその成形体が射出成形によって製造されるもので、同成形体の製造歩留まりの低下を招くことなく、その小径線部の太さを従来よりも格段と細くできるようにする。【構成】成形体１自身がＵ字形をなし、そのＵ字の折返し部２を含む先端寄り部位の直線部３ａが小径線部３で、そのＵ字の両脚部４が大径線部５をなしているもので、その成形体１自身を射出成形後において成形型から突き出すための突き出しピンが、大径線部５の適所Ｐ１〜Ｐ５とともに小径線部３を突き出し可能に、小径線部３の適所に凸部９を設けた。【選択図】     図１
2005299945.tif 000002
【特許請求の範囲】
【請求項１】
セラミック抵抗発熱体形成用の成形体であって、成形体自身が大径線部と小径線部とを備えかつその成形体が射出成形によって製造されるものにおいて、
その成形体自身を射出成形後において成形型から突き出すための突き出しピンが、前記大径線部とともに前記小径線部を突き出し可能に、該小径線部の適所に凸部を設けたことを特徴とするセラミック抵抗発熱体形成用の成形体。
【請求項２】
セラミック抵抗発熱体形成用の成形体であって、成形体自身がＵ字形をなし、そのＵ字の底部である先端の折返し部を含む両脚部の先端寄り部位が小径線部で、その小径線部を除く両脚部が大径線部をなし、かつその成形体が射出成形によって製造されるものにおいて、
その成形体自身を射出成形後において成形型から突き出すための突き出しピンが、前記大径線部とともに前記小径線部を突き出し可能に、該小径線部の適所に凸部を設けたことを特徴とするセラミック抵抗発熱体形成用の成形体。
【請求項３】
前記凸部を、前記小径線部におけるＵ字の内側部位に設けたことを特徴とする請求項２に記載のセラミック抵抗発熱体形成用の成形体。
【請求項４】
前記成形体は、前記小径線部及び前記大径線部とも、同じ抵抗を有する素材からなることを特徴とする請求項１〜３のいずれか１項に記載のセラミック抵抗発熱体形成用の成形体。
【請求項５】
前記成形体は、前記小径線部を含む部位が高抵抗素材からなり、その他の部位が低抵抗素材からなる複合体としてなることを特徴とする請求項１〜３のいずれか１項に記載のセラミック抵抗発熱体形成用の成形体。
【請求項６】
請求項１〜５のいずれか１項に記載のセラミック抵抗発熱体形成用の成形体を絶縁セラミック基体中に埋設状にして焼成してなることを特徴とするセラミックヒーター。
【発明の詳細な説明】
【技術分野】
【０００１】
本発明は、ディーゼルエンジンなどの始動促進用に使用されるグロープラグ、或いは各種センサーの早期活性などに使用されるセラミックヒーター及びこれを形成するセラミック抵抗発熱体の形成用の成形体に関する。
【背景技術】
【０００２】
図７は、このようなセラミックヒーターが使用されたグロープラグ１００の１例を示したものである。このグロープラグ１００に使用されているセラミックヒーター１０１は、金属筒１０５内に内挿され、これを筒状の本体１０３の先端１０３ａに固定して同本体１０３内に配置されている。同図のセラミックヒーター１０１は、先端で折り返し状（Ｕ字形状）をなす抵抗発熱体１１を導電性セラミックからなるものとし、これを絶縁性セラミック（例えば窒化珪素）などの絶縁セラミック基体（支持体）９３内に、側面に両端子１７，１８を露出させる形で埋設したものとされている。そして、一方の端子１７は金属筒１０５に接続され、他方の端子１８は中継線９９を介してリード用軸部材１０７に接続され、この軸部材の後端寄り部位１０７ｃがガラス１１１や絶縁ブッシュ１１３を介して本体１０３に固定されている。このようなグロープラグ１００では、リード用軸部材１０７に固定された端子部材１０９に電圧を印加し、電流を、同軸部材１０７、中継線９９、セラミック抵抗発熱体１１、及び金属筒１０５と流すことで、その抵抗発熱体１１を発熱する構成とされている。
【０００３】
ところで、このようなグロープラグ１００に使用されているヒーター１０１のうち、抵抗発熱体１１の先端部分（同図下端部分）のみを局所的に急速加熱したいときにおいては、先端部分に位置するそのＵ字の折返し部分を含む部位を他の部位より小径線化する（横断面積を小さくする）ことが効果的である。図８は、そのような抵抗発熱体を形成するための焼成前の成形体（未焼成セラミック成形体）１の一例を示したものである。このものは、全体としてはＵ字形をなし、そのＵ字の折返し部２を含む先端寄り部位が小径線部３とされており、この小径線部３を除くＵ字の両脚部４が大径線部５とされている。一方、このような成形体１を、タングステンカーバイト（ＷＣ）或いは二珪化モリブデン（ＭｏＳｉ２）を含む導電性セラミックで形成する場合には射出成形によって製造するのが普通である。このような成形体１を射出成形によって製造する場合には、型合せ面（型閉じ面）に、成形体１に対応するＵ字形状のキャビティー（凹部）が形成された、上下一対の成形型（金型）が使用される。そして、このような成形体の製造においては、図９−Ａに示したように、上下の成形型５１，６１を型閉じしてできるキャビティ内に成形体形成用の素材（生地）を射出し、固化後において、図９−Ｂ、図９−Ｃに示したように、型開きしてその成形体１を取り出すことになる。
【０００４】
ところで、このような成形においては、成形体１を成形型（内面）５１，６１から円滑に分離（離型）して取り出すため、その成形型５１，６１には、適所に成形体１を突き出す突出しピン（円柱状の押し出しピン）Ｔ１〜Ｔ６が配置されたものが使用される。そして、型開きにおいては図９に示したように、突出しピンＴ１〜Ｔ６をキャビティー側に突き出し、成形体１をキャビティーの底面から若干浮かすことが行われる。このように成形体１をキャビティ内面から確実に分離させ、その取り出しを円滑に行うためには、突き出しピン（以下、単にピンとも言う）Ｔ１〜Ｔ６は、成形体１の全体に適度に分散して設ける必要があり、したがって、その大径線部５だけでなく小径線部３にも設ける必要がある。図８中に破線で示した円形部位Ｐ１〜Ｐ６は、成形時にピンＴ１〜Ｔ６の先端が当たる位置を示している。
【特許文献１】特開平９−１４６５９号公報
【発明の開示】
【発明が解決しようとする課題】
【０００５】
上記したように、抵抗発熱体の先端部分を小径線化することがヒーターの発熱効率上から要請されているが、そのように小径線化するほど、同抵抗発熱体を形成するための成形体１における小径線部３では、その部位を突き出すための突き出しピンＴ６の太さも細くする必要がある。すなわち、小径線部３を細くするほど突き出しピンも細くする必要があるが、ピンは細くなるほど変形、破損（座屈や曲がり）を起こしやすい。こうしたピンの変形を防止するため、従来はピンの材質、強度にもよるが、一般的な超硬合金製のピンでは、その太さは直径で約１ｍｍ以上、最小でも０．８ｍｍ以上あることが要請されていた。このため、従来の成形体１の射出成形においては、その先端部分を小径線化するとしても、０．８ｍｍ程度が限界とされていた。したがって、成形体１の先端の小径線部３のうちの直線部３ａを図８中の破線Ｓ１で示したように、例えば０．４ｍｍと細くする場合には、成形体１における同直線部３ａに対応する部位には突き出しピンＴ６を配置させることはできない。このような場合には、その先端部位には、例えば、Ｕ字の折返し部２の中央を図８に示したように太くしておくことで、その中央部位Ｐ６にピンＴ６を配置できるに止まる。
【０００６】
ところが、図１０に示したように、このようなピンの配置とされた成形型５１，６１で成形体１を成形して型開きする場合には、その小径線部３が、例えば、同図１０−Ｃに示したような段階で、型面と円滑に分離できずに屈曲や変形を生じたり、或いは、その根元などにクラックが発生するなどの問題が頻発していた。すなわち、従来においては、小径線部３の太さを０．４ｍｍのように細くする場合には、製造歩留まりの著しい低下を余儀なくされていた。したがって、従来は、先端部分のみを効率的に急速加熱することのできる抵抗発熱体を効率よく製造することができないという問題があった。
【０００７】
本発明は、こうした点に鑑みてなされたもので、その目的は、セラミック抵抗発熱体形成用の成形体であって、成形体自身が大径線部と小径線部とを備えかつその成形体が射出成形によって製造されるものにおいて、その成形体の製造歩留まりの低下を招くことなく、その小径線部の太さを従来よりも格段と細くできるようにすることにある。
【課題を解決するための手段】
【０００８】
上記の目的を達成するために請求項１に記載の本発明は、セラミック抵抗発熱体形成用の成形体であって、成形体自身が大径線部と小径線部とを備えかつその成形体が射出成形によって製造されるものにおいて、
その成形体自身を射出成形後において成形型から突き出すための突き出しピンが、前記大径線部とともに前記小径線部を突き出し可能に、該小径線部の適所に凸部を設けたことを特徴とするセラミック抵抗発熱体形成用の成形体である。
【０００９】
請求項２に記載の本発明は、セラミック抵抗発熱体形成用の成形体であって、成形体自身がＵ字形をなし、そのＵ字の底部である先端の折返し部を含む両脚部の先端寄り部位が小径線部で、その小径線部を除く両脚部が大径線部をなし、かつその成形体が射出成形によって製造されるものにおいて、
その成形体自身を射出成形後において成形型から突き出すための突き出しピンが、前記大径線部とともに前記小径線部を突き出し可能に、該小径線部の適所に凸部を設けたことを特徴とするセラミック抵抗発熱体形成用の成形体である。
【００１０】
請求項３に記載の本発明は、前記凸部を、前記小径線部におけるＵ字の内側部位に設けたことを特徴とする請求項２に記載のセラミック抵抗発熱体形成用の成形体である。
【００１１】
請求項４に記載の本発明は、前記成形体は、前記小径線部及び前記大径線部とも、同じ抵抗を有する素材からなることを特徴とする請求項１〜３のいずれか１項に記載のセラミック抵抗発熱体形成用の成形体である。
【００１２】
請求項５に記載の本発明は、前記成形体は、前記小径線部を含む部位が高抵抗素材からなり、その他の部位が低抵抗素材からなる複合体としてなることを特徴とする請求項１〜３のいずれか１項に記載のセラミック抵抗発熱体形成用の成形体である。
【００１３】
請求項６に記載の本発明は、請求項１〜５のいずれか１項に記載のセラミック抵抗発熱体形成用の成形体を絶縁セラミック基体中に埋設状にして焼成してなることを特徴とするセラミックヒーターである。
【発明の効果】
【００１４】
本発明のセラミック抵抗発熱体形成用の成形体では、その成形体自身を射出成形後において成形型（金型）から突き出すための突き出しピン（以下、単にピンとも言う）が、前記大径線部とともに前記小径線部を突き出し可能に、該小径線部の適所に凸部を設けている。すなわち、このような凸部を設けた部位では、その分、単なる小径線部に比べて幅広となる。このため、小径線部自体が細くても、その成形時には、小径線部の部位も大径線部と同様に、強度のある太い突き出しピンにて突き出すことができる。これにより、従来よりも細い小径線部であっても折れや屈曲等のない成形体を製造歩留まりよく製造できる。
【００１５】
このように、本発明によれば、先端又は先端寄り部位が小径線部で、その他が大径線部としてなる、ヒーター用の抵抗発熱体形成用の成形体を射出成形により製造する際において、その成形体の製造歩留まりの低下を招くことなく、その小径線部の太さを従来よりも格段と細くできるという顕著な効果が得られる。そして、その結果、このような本発明に係る成形体を絶縁セラミック基体中に埋設して同時焼成することで、昇温効率が高いセラミックヒーターを低コストで提供できる。
【００１６】
本発明における前記凸部は、小径線部の適所の一部に設けることでよいが、請求項２に記載の形状の成形体においては、請求項３に記載の本発明のように、前記凸部を、前記Ｕ字の内側部位に設けるのがよい。というのは、成形体は絶縁セラミック基体内に埋設された状態で焼成されてヒーターをなし、その抵抗発熱体となる。一方、この絶縁セラミック基体は通常、同一太さ（例えば同直径の円柱状）に形成される。このため、その凸部がＵ字の外側にあると、その凸部の存在する部位における絶縁セラミック基体（絶縁材）の表面の肉厚が部分的に薄くなる。したがって、ヒーターの使用過程での絶縁材の摩耗により、抵抗発熱体が露出して外部に晒されて酸化してしまう危険性がある。これに対して、請求項３に記載のように、Ｕ字の内側に凸部が位置するようにすることで、そうした危険性を回避することができる。また、小径線部は、Ｕ字を正面からみて、同一太さでＵ字状に形成された成形体において、そのＵ字の折返し部を含む先端寄り部位の内側の肉を盗む（除去する）形とすることで形成できる。この場合には、その先端寄り部位の内側に盗んだ肉の分のスペースができるため、凸部を設けるのに適する。
【００１７】
また、本発明における成形体は、請求項４に記載のように、前記小径線部及び前記大径線部とも、同じ抵抗を有する素材から形成したものとすれば、簡易な工程でその製造ができる。しかし、請求項５に記載のように、成形体を、前記小径線部を含む部位が高抵抗素材からなり、その他の部位が低抵抗素材からなる複合体として形成してもよい。このような複合体として形成すれば、小径線部が同一太さでもより急速高温化が図られる。このため、この成形体を絶縁セラミック基体中に埋設状にして焼成してなるセラミックヒーターによれば、より優れた昇温特性のセラミックヒーターを得ることができる。なお、高抵抗素材からなる小径線部を含む部位と、その他の部位が低抵抗素材からなる複合体として形成してなる成形体において、その高抵抗素材と低抵抗素材との境界はセラミックヒーターの用途によって適宜に設定すればよい。
【発明を実施するための最良の形態】
【００１８】
本発明の第１の実施の形態を図１〜図４に基いて詳細に説明する。図中１は、導電性セラミック（例えば、導電材料であるタングステンカーバイト（ＷＣ）と窒化珪素（Ｓｉ３Ｎ４）との混合物）を主成分としてなる、セラミック抵抗発熱体形成用の成形体（未焼成の成形体）である。このものは、成形体１自身が概略Ｕ字形をなし、そのＵ字の底部である先端（図１下端）の折返し部２を含む両脚部の先端寄り部位が小径線部３で、その小径線部３を除く両脚部４が大径線部（太い棒状部）５をなしている。両脚部４をなす大径線部５は互いに平行に配置され、それぞれ直線状をなしており、横断面が同一で、例えば直径２ｍｍの円断面（或いは楕円断面）とされている。ただし、大径線部５の各先端（図１下端）は、対向する内側においてテーパーをなして先端に向かうにしたがって先細り状に形成されている。なお、両脚部４は同一長さとされている。そして、その両脚部４の外側に向かって、図２に示したように（図１の側面視）例えば円形でかつ柱状の端子形成用のパッド部７，８が突出形成されている。なお、パッド部７，８は図１において上下方向において異なる高さに形成されている。本形態の成形体１は、図１においてこのパッド部７，８を除いて左右対称形とされ、図１の左右の側面も、図２に示したように対称形とされている。なお、図１中の各大径線部５に破線で付した円形部位Ｐ１〜Ｐ５は、詳しくは後述するが、この成形体１を射出成形した後、成形型から突き出すための突き出しピン（先端面）Ｔ１〜Ｔ５が当たる位置である。
【００１９】
一方、小径線部３は、大径線部５の外側に沿って延びる直線部３ａと、両直線部３ａの先端を横向きに連結するＵ字の折返し部（横連結部）２とからなっている。そして、直線部３ａは、次に説明する凸部９を除いて大径線部５より小さい直径の横断面円形（同一横断面）とされている。また、折返し部（横連結部）２は、その中央が先端向きに若干凸となす円弧状とされ、大径線部５より小さい直径で、しかも、本形態ではその中央部位が両直線部３ａより太くなるように形成されている。このような小径線部３のなすＵ字の内側空間は大径線部５相互間に挟まれる内側空間よりも広く形成されている。
【００２０】
さて、このような本形態の成形体１では、小径線部３をなす左右の両直線部３ａの中間部位のうち、Ｕ字の内側に位置する部位に、その内側に膨らむ形で半（１／２）円弧状の凸部９が膨出状に形成されている。この凸部９は、平面視（図１）においては半円形状を呈しているが、その厚さは小径線部３の直径と同様に設定されている。なお、小径線部３をなす両直線部３ａの太さは、例えば０．５６ｍｍと細くされ、凸部９は図１においてその円弧の半径Ｒ１が０．４ｍｍとされており、本形態では、凸部９のある部位における小径線部３の幅Ｗ１は０．９ｍｍとされている。したがって、小径線部３のうち凸部９に対応する部位（図１中の破線の円形部位Ｐ７）には、直径０．８ｍｍの円柱状のピンＴ７の先端面が当接できるように設定されている。なお、折返し部２の中央部位の幅Ｗ２は０．８ｍｍとされており、そこに付された破線の円形部位Ｐ６には直径０．８ｍｍの円柱状のピンＴ６の先端面が当接できるように設定されている。また、凸部９における半円形の平面と、その半円弧の周面との稜線部には角ができないように適度の小アールによる面取りが付けられている。
【００２１】
しかして、このような成形体１によれば、これを射出成形により製造する場合においては、従来と同様に、図２における中心線ＰＬが型合わせ面となるように、それぞれの型合わせ面に成形体１に対応するＵ字形状で、凹設、形成されたキャビティを有する一対の成形型を用いることで、これを成形できる。この場合において、各成形型には、大径線部５を突き出すためのその各円形部位Ｐ１〜Ｐ５及び小径線部３のうちの折返し部２の中央の円形部位Ｐ６に加えて、小径線部３のうちの凸部９に対応する円形部位Ｐ７にも、突き出しピンの先端を配置させることができる。すなわち、小径線部３のうち、０．４ｍｍとさらに細い両直線部３ａにも、その凸部９に対応する部位Ｐ７に、強度を保持できる太さ（０．８ｍｍ）のピンを配置できる。
【００２２】
このため、図３−Ａに示したように、このような成形型５１，６１を用いて成形体１を射出成形した後、図３−Ｂに示したように、上型５１のピンＴ１〜Ｔ７を突出させたままで上型５１を上昇して型開きし、その後、図３−Ｃに示したように、ピンＴ１〜Ｔ７とともに上型（図示せず）を上昇し、かつ下型６１のピンＴ１〜Ｔ７を突出させることで、成形体１は型から分離されるが、その際には、小径線部３も他の部位と共に突き出される。なお、図３においては、Ｔ１〜Ｔ３はその図示を省略している。このため、成形体１の取り出しにおいてその小径線部３が折れたり曲がったり、或いはクラックが発生することもない。このように本発明によれば、小径線部３の太さを、配置すべきピンの太さよりも細くしても、その小径線部３の突き出しができるため、小径線部３の細い成形体１を効率よく製造できる。
【００２３】
なお、図４は、このようにして形成された成形体１を、例えば円柱状をなす絶縁セラミック基体９３中に埋設状にした状態を示している。しかして、その後、仮焼成等の所定の熱処理工程等を経た後で、ホットプレスにて焼成し、外周面を研磨したり、先端（下端）を半球面状に仕上げることで、セラミックヒーターとなる。このセラミックヒーターをなす絶縁セラミック基体９３は、窒化珪素質などが例示される。なお、セラミックヒーターにおいては、図示したように端子パッド７，８は、側面にそれぞれ露出している。なお、成形体１は焼成後には抵抗発熱体となるが、その製造過程のプレスにより、横断面は変形したものとなる。
【００２４】
また、このようなセラミックヒーターにおいては、その内部の成形体が焼成されてなる抵抗発熱体の凸部９が、Ｕ字の内側に位置する部位に設けられている。このため、同ヒーターの絶縁セラミック基体９３の外部表面から抵抗発熱体（焼成前の成形体）までのその絶縁セラミック層の肉厚の部分的な減少もない。したがって、セラミックヒーターがグロープラグとして使用される場合のように、絶縁セラミック基体９３の表面の摩耗があるような場合でも、セラミック抵抗発熱体が露出する危険性も防止できる。
【００２５】
さて次に、上記の実施の形態のものにおいて、小径線部３に凸部９を設けたものと、設けない成形体の各サンプルを射出成形して成形型から取り出し、それぞれの小径線部にクラック等の欠点がないかを確認してみた。すなわち、前記実施の形態の小径線部３に凸部９を有する本発明品の成形体のサンプルと、凸部９がない比較例の成形体のサンプルとを製造した。本発明品では、上記したように小径線部３のうち、凸部９の部位Ｐ７が突き出しピンＴ７で突き出される構成の成形型によって成形したものであり、比較例サンプルでは、これに対応する位置に突き出しピンを配置していない成形型によって成形したものである。なお、本発明品及び比較例とも、小径線部３のうち、折返し部２の中央部位Ｐ６には突き出しピンＴ６を配置して製造した。各成形型はともに１面４個取りのものを用い、２５ショットでそれぞれ１００個づつ製造した。なお、欠点の確認は、成形後、２００℃で５０分間乾燥した後、拡大鏡で外観検査を実施して、欠点があるものを不良品としてカウントした。結果は表１に示した通りである。
【００２６】
【表１】
2005299945.tif 000003
【００２７】
表１に示したように、小径線部３に凸部９のある本発明品では、サンプルのうち１個のものの小径線部３に欠点が見られ、９９％の歩留まりであった。これに対して、小径線部３に凸部のない比較例では、３０個のサンプルの小径線部３に欠点が見られ、７０％の歩留まりであった。この結果は、とりもなおさず本発明の効果を実証するものである。
【００２８】
また、前記形態では、セラミック抵抗発熱体形成用の成形体１は、同じ抵抗を有する素材からなるものとしたが、上記もしたように、本発明の成形体１は、前記小径線部３を含む部位が高抵抗素材からなり、その他の部位が低抵抗素材からなる複合体としてもよい。例えば、図１の拡大図中のＹ−Ｙ線より下を高抵抗素材で、上を低抵抗素材でそれぞれ形成する複合体としてもよい。このようにすれば、小径線部３の太さを前記形態のものと同じとしても、より高温に急速発熱させることができる。なお、このように成形体のうちの小径線部３を含む部位を高抵抗素材からなるものとするには、上記における導電材料であるタングステンカーバイトの比率を適宜に減らした素材でもって、小径線部３を含む部位を形成すればよい。
【００２９】
因みに、このような複合体の成形体の射出成形は、上記の形状のもので、例示すれば次のようである。すなわち、成形体１のうちの大径線部５（成形体１）の部位（図１の拡大図のＹ−Ｙ線より上の部位）を別途、低抵抗素材からなる生地で射出成形して形成しておく。そして、この大径線部の部分をなす成形体を、上記の形態で説明した成形型におけるキャビティのうち、その大径線部の形成用の部位にインサート（装填）して型閉じする。その後、成形型におけるキャビティのうち、残部（図１の拡大図のＹ−Ｙ線より下の部位に相当する部位）に、高抵抗素材からなる生地を射出して、成形体として一体化する。このように一体化された成形体１の取出しにおいても、その小径線部３に形成された凸部９の位置に配置された突き出しピンＴ７により、その突き出しができるため、上記の形態と同様に、小径線部３にクラック等の欠点のない成形体１をうることができる。
【００３０】
もっとも、このような複合体の成形体は、前記した方法でなくとも製造できる。例えば、まず、上型を上記した上型（下型と同じもの）５１のほか、例えば、型閉じしたとき、図１の拡大図のＹ−Ｙ線より下の部位に相当するキャビティを無くする（占有する）ように形成された凸部を有する特殊上型を用いて型閉じする。この状態において存在するキャビティ（図１の拡大図のＹ−Ｙ線より上の部位である大径線部５の形成用の部位）に、低抵抗素材からなる生地を射出する。そして、突き出しすることなく、その特殊上型を取り除き、上記した実施の形態に用いた上型５１に代えて型閉じする。この後、成形型におけるキャビティのうち、残部（図１の拡大図のＹ−Ｙ線より下の部位に相当する部位）に、高抵抗素材からなる生地を射出して、成形体１として一体化する。このようにして一体的に成形された複合体からなる成形体の取り出しにおいても、大径線部５と共に小径線部３をも上記したのと同様にして各ピンで突き出すことで、前記したように小径線部３にクラック等の欠点のない成形体をうることができる。もちろん、高抵抗素材からなる生地を先に射出することとしてもよい。
【００３１】
本発明は、上記した内容のものに限定されるものではなく、その要旨を逸脱しない範囲において、適宜に変更して具体化できる。例えば、小径線部３に設ける凸部９は、小径線部３の太さや長さに応じて、ピンによる突き出し時に折れ等のない円滑な突き出しができるようにすればよい。したがって、図５に示した成形体２１のように、凸部９は、小径線部３をなす直線部３ａの適所に複数箇所づつ設けてもよい。同図のものでは２箇所であるが、凹凸が連続する形で多数設けることもできる。なお、図５に示した成形体２１は、図１の成形体１と、膨らみ部９を各直線部３ａに２箇所設けた点が異なるだけのため、同一部位には同一の符号を付し、その説明を省略する。
【００３２】
加えて、上記においては折返し部２をその中央が次第に太くなるように形成した場合を例示したが、図６に示したように、この折返し部２をピンＴ６の径より小さい一定幅とし、その中央に凸部９を設け、その凸部９に対応する円形部位Ｐ６にピンを配置するようにすることもできる。
【００３３】
また、凸部９の形態は、円弧状のものでなくともよい。さらに、凸部９を設ける小径線部３の太さは、成形体１の素材（抵抗、強度）にもよるが、凸部９とあわせることで、ピンで突き出し可能であり、その際において小径線部に折れ等が生じることなく円滑に離型できる太さであればよい。抵抗発熱体として所望とする抵抗、小径線部の長さとの関係で、さらには、凸部の数やピッチとの関係で適宜に設定すればよい。なお、本発明に係る成形体は、これに限定されるものではない。また、小径線部、大径線部の横断面も、射出成形後、型から取り出す際に支障がない各種の形状のものとして具体化できる。
【００３４】
さらに、本発明に係るセラミック抵抗発熱体形成用の成形体の素材としては、導電材料であるタングステンカーバイトと窒化珪素とを主成分とするもの、或いは、二珪化モリブデン（ＭｏＳｉ２）と窒化珪素とを主成分とするものが代表例として例示できるが、もちろんこれら以外の素材で射出成形する場合にも本発明は適用できる。すなわち、本発明では、導電性のあるセラミック抵抗発熱体形成用の成形体であって、成形体自身が大径線部と小径線部とを備えかつその成形体が射出成形によって製造されるものに広く適用できる。また、本発明の成形体は、グロープラグ用のセラミックヒーターに使用されるものだけでなく、このようなセラミック抵抗発熱体形成用の成形体を絶縁セラミック基体中に埋設して焼成してなる各種のセラミックヒーターに広く適用できる。
【図面の簡単な説明】
【００３５】
【図１】本発明に係る成形体の第１の実施の形態の正面図（平面図）、要部拡大図及びこの要部拡大図のさらなる部分拡大図。
【図２】図１の側面図及び要部拡大図。
【図３】図１の成形体を製造する工程の説明用断面図で、Ａは型閉じして射出した後の図、Ｂは上型の突き出しピンを成形体に当接させたまま上型を上昇させた図、Ｂはその後、上型を上昇して型開きし、下型の突き出しピンで成形体を突き出している状態の上型を省略した図。
【図４】図１の成形体を絶縁セラミック基体中に埋設状にした断面図。
【図５】成形体の他の実施例の正面図（平面図）及び要部拡大図。
【図６】成形体の他の実施例の要部拡大図。
【図７】従来のグロープラグの断面図及び使用されているセラミックヒーターの拡大断面図。
【図８】セラミックヒーターに使用される従来のセラミック抵抗発熱体形成用の成形体の正面図（平面図）及び要部拡大図。
【図９】従来の成形体を射出成形し、型開きする工程の説明用断面図。
【図１０】図９の部分拡大図であって、成形体を取り出すときの問題点の説明用断面図。
【符号の説明】
【００３６】
１  セラミック抵抗発熱体形成用の成形体
２  成形体の先端の折返し部
３  小径線部
４  成形体の脚部
５  大径線部
９  凸部
５１，６１  成形型
Ｔ１〜Ｔ７  突き出しピン
【図１】
2005299945.tif 000004
【図２】
2005299945.tif 000005
【図３】
2005299945.tif 000006
【図４】
2005299945.tif 000007
【図５】
2005299945.tif 000008
【図６】
2005299945.tif 000009
【図７】
2005299945.tif 000010
【図８】
2005299945.tif 000011
【図９】
2005299945.tif 000012
【図１０】
2005299945.tif 000013